(57)【要約】【課題】主に各種電子機器の操作に用いられるスイッチ及びこれを用いたスイッチ装置に関し、簡易な構成で、確実な操作の可能なものを提供することを目的とする。【解決手段】弾性シート１４の操作部１４Ａ内に略コイル状の可動接点１５を収納すると共に、可動接点１５の大径の外周接点部１５Ａを基板１１上面の外周固定接点１３に載置し、小径の中央接点部１５Ｂを中央固定接点１２と所定の間隙を空けて対向させてスイッチ１６を構成することによって、簡易な構成でスイッチ１６を形成できると共に、略コイル状の可動接点１５のばね荷重によって、引っ掛かり等がなく、確実な操作の可能なスイッチ及びこれを用いたスイッチ装置を得ることができる。【選択図】図１
2008103232.tif 000002
【特許請求の範囲】
【請求項１】
上面に中央固定接点及び外周固定接点が形成された基板と、この基板上面を覆うと共に、上記固定接点上方に略ドーム状に突出した操作部が形成された弾性シートと、この弾性シートの上記操作部内に収納された略コイル状の可動接点からなり、上記可動接点の大径の外周接点部が上記外周固定接点に載置されると共に、小径の中央接点部が上記中央固定接点と所定の間隙を空けて対向したスイッチ。
【請求項２】
扉体下面に突出した駆動部を設けると共に、この駆動部で請求項１記載のスイッチの操作部を押圧操作するスイッチ装置。
【発明の詳細な説明】
【技術分野】
【０００１】
本発明は、主に各種電子機器の操作に用いられるスイッチ及びこれを用いたスイッチ装置に関するものである。
【背景技術】
【０００２】
近年、リモコン送信機やビデオムービー等の各種電子機器の高機能化が進むなか、扉体や蓋体等の開閉や移動によって操作機能を増やし、多様な操作を行えるものが増えており、これらの扉体や蓋体等の開閉状態を検出するスイッチ装置においても、確実な操作の可能なものが求められている。
【０００３】
このような従来のスイッチ装置について、図４及び図５を用いて説明する。
【０００４】
図４は従来のスイッチ装置の断面図であり、同図において、１は上下面に複数の配線パターン（図示せず）が形成された基板で、この上面には、上方へ突出した操作軸２Ａの上下動に応じて、内部のスイッチ接点（図示せず）が電気的接離を行う検知スイッチ２が、半田付け等によって実装されている。
【０００５】
また、３はゴム等の弾性シートで、この弾性シート３が基板１上面を覆うと共に、検知スイッチ２の箇所には、上方へ略ドーム状に突出した操作部３Ａが形成されている。
【０００６】
そして、４は略箱状で絶縁樹脂製のケース、５は同じく絶縁樹脂製の扉体で、この扉体５の右端部（図示せず）がケース４に回転可能に装着されると共に、ケース４には通孔部４Ａが形成され、扉体５下面には下方へ突出した駆動部５Ａが設けられて、スイッチ装置が構成されている。
【０００７】
さらに、基板１には複数のスイッチやマイコン、発光ダイオード等の電子部品（図示せず）が実装されて、例えば、リモコン送信機が形成されると共に、検知スイッチ２のスイッチ接点がこれらの電子回路に接続される。
【０００８】
以上の構成において、右端部を支点として扉体５を回転して閉じると、図５の断面図に示すように、通孔部４Ａを挿通した駆動部５Ａが弾性シート３の操作部３Ａを押圧して、操作部３Ａが弾性変形すると共に、弾性シート３を介して操作軸２Ａが押圧操作され、検知スイッチ２の電気的接離が行われる。
【０００９】
また、扉体５を開くと、駆動部５Ａが操作部３Ａから離れ、操作部３Ａが弾性復帰力によって元の状態に戻ると共に、操作軸２Ａも内部の線ばねや板ばね（図示せず）等の復帰力によって上方へ移動して、検知スイッチ２の電気的接離が行われ、図４の状態に復帰する。
【００１０】
そして、この扉体５の開閉操作に応じた検知スイッチ２の電気的接離によって、機器の電子回路が扉体５の開閉状態を検出し、例えば、リモコン送信機の場合には、扉体５が閉じた状態と開いた状態では、異なる遠隔操作を行うように構成されているものであった。
【００１１】
なお、この出願の発明に関連する先行技術文献情報としては、例えば、特許文献１が知られている。
【特許文献１】特開平１１−２１３８０３号公報
【発明の開示】
【発明が解決しようとする課題】
【００１２】
しかしながら、上記従来のスイッチ装置においては、扉体５の開閉を検出する検知スイッチ２には、一般に操作力の小さなものが用いられているため、扉体５を開いた際、特に、駆動部５Ａが斜めに操作軸２Ａを押圧していた場合等には、弾性変形した操作部３Ａとの摩擦によって、操作軸２Ａに引っ掛かり等が生じ、検知スイッチ２の操作が不安定なものになる場合があるという課題があった。
【００１３】
本発明は、このような従来の課題を解決するものであり、簡易な構成で、確実な操作の可能なスイッチ、及びこれを用いたスイッチ装置を提供することを目的とする。
【課題を解決するための手段】
【００１４】
上記目的を達成するために本発明は、以下の構成を有するものである。
【００１５】
本発明の請求項１に記載の発明は、弾性シートの操作部内に略コイル状の可動接点を収納すると共に、可動接点の大径の外周接点部を基板上面の外周固定接点に載置し、小径の中央接点部を中央固定接点と所定の間隙を空けて対向させてスイッチを構成したものであり、簡易な構成でスイッチを形成できると共に、略コイル状の可動接点のばね荷重によって、引っ掛かり等がなく、確実な操作の可能なスイッチを得ることができるという作用を有する。
【００１６】
請求項２に記載の発明は、扉体下面に突出した駆動部を設けると共に、この駆動部で請求項１記載のスイッチの操作部を押圧操作するようにしてスイッチ装置を構成したものであり、簡易な構成で、確実な操作の可能なスイッチ装置を実現することができるという作用を有する。
【発明の効果】
【００１７】
以上のように本発明によれば、簡易な構成で、確実な操作の可能なスイッチ、及びこれを用いたスイッチ装置を実現できるという有利な効果が得られる。
【発明を実施するための最良の形態】
【００１８】
以下、本発明の実施の形態について、図１〜図３を用いて説明する。
【００１９】
なお、背景技術の項で説明した構成と同一構成の部分には同一符号を付して、詳細な説明を簡略化する。
【００２０】
（実施の形態）
図１は本発明の一実施の形態によるスイッチ装置の断面図であり、同図において、１１は紙フェノールやガラス入りエポキシ等の基板で、上下面には銅箔等によって複数の配線パターン（図示せず）が形成されると共に、上面には銅やカーボン等によって略円形の中央固定接点１２と、この中央固定接点１２を囲むように略馬蹄状の外周固定接点１３が形成されている。
【００２１】
そして、１４はゴムやエラストマー等の弾性シートで、この弾性シート１４が基板１１上面を覆うと共に、弾性シート１４の中央固定接点１２や外周固定接点１３上方には、上方へ略ドーム状に突出した操作部１４Ａが形成されている。
【００２２】
また、１５は鋼や銅合金等の略コイル状に巻回された可動接点で、銀や錫等のメッキが施されると共に、下方には大きな径に巻回された外周接点部１５Ａが、上方には外周接点部１５Ａの内径よりも小さな径に巻回された中央接点部１５Ｂが各々形成されている。
【００２３】
そして、この可動接点１５が弾性シート１４の操作部１４Ａ内に収納されると共に、大径の外周接点部１５Ａが外周固定接点１３に載置され、小径の中央接点部１５Ｂ下端が中央固定接点１２と所定の間隙を空けて対向して、スイッチ１６が構成されている。
【００２４】
つまり、上面に中央固定接点１２と外周固定接点１３が形成された基板１１と、これを覆う弾性シート１４、この操作部１４Ａ内に収納された略コイル状の可動接点１５の、わずか三つの構成部品で、スイッチ１６が簡易な構成で形成できるようになっている。
【００２５】
また、４は略箱状でポリスチレンやＡＢＳ等の絶縁樹脂製のケース、５は同じく絶縁樹脂製の扉体で、この扉体５の右端部（図示せず）がケース４に回転可能に装着されると共に、ケース４には通孔部４Ａが形成され、扉体５下面には下方へ突出した駆動部５Ａが設けられて、スイッチ装置が構成されている。
【００２６】
さらに、基板１１には複数のスイッチやマイコン、発光ダイオード等の電子部品（図示せず）が実装されて、例えば、リモコン送信機が形成されると共に、中央固定接点１２と外周固定接点１３が基板１１の配線パターンを介して、これらの電子回路に接続される。
【００２７】
以上の構成において、右端部を支点として扉体５を回転して閉じると、図２の断面図に示すように、通孔部４Ａ内を挿通した駆動部５Ａが弾性シート１４の操作部１４Ａを押圧して、操作部１４Ａが弾性変形すると共に、弾性シート１４を介して中央接点部１５Ｂ上端が押圧され、可動接点１５全体が圧縮されて撓む。
【００２８】
そして、外周接点部１５Ａ内を挿通した中央接点部１５Ｂ下端が、中央固定接点１２に接触して、可動接点１５を介して中央固定接点１２と外周固定接点１３が電気的に接続される。
【００２９】
また、扉体５を開くと、駆動部５Ａが操作部１４Ａから離れ、操作部１４Ａが弾性復帰力によって元の状態に戻ると共に、可動接点１５も弾性復帰力によって図１の状態に復帰し、中央接点部１５Ｂ下端が中央固定接点１２から離れて、中央固定接点１２と外周固定接点１３が電気的に切断される。
【００３０】
そして、この扉体５の開閉操作に応じた中央固定接点１２と外周固定接点１３の電気的接離によって、機器の電子回路が扉体５の開閉状態を検出し、例えば、リモコン送信機の場合には、扉体５が閉じた状態と開いた状態では、異なる遠隔操作を行うように構成されている。
【００３１】
なお、この時、扉体５でスイッチ１６を押圧操作した際には、可動接点１５全体が圧縮されて撓み、このばね荷重によって、外周接点部１５Ａ下端が外周固定接点１３に弾接して、外周接点部１５Ａと外周固定接点１３の電気的接続が確実に行われると共に、中央接点部１５Ｂもそのばね荷重によって、下端が中央固定接点１２に弾接するため、中央接点部１５Ｂと中央固定接点１２との電気的接続も確実に行われるようになっている。
【００３２】
また、扉体５を開いた際には、外周接点部１５Ａと中央接点部１５Ｂを合わせた、可動接点１５全体のばね荷重によって元の状態に復帰するため、弾性変形した操作部１４Ａとの間に多少の摩擦があった場合でも、引っ掛かり等がなく、可動接点１５の確実な復帰操作が行われるように構成されている。
【００３３】
このように本実施の形態によれば、弾性シート１４の操作部１４Ａ内に略コイル状の可動接点１５を収納すると共に、可動接点１５の大径の外周接点部１５Ａを基板１１上面の外周固定接点１３に載置し、小径の中央接点部１５Ｂを中央固定接点１２と所定の間隙を空けて対向させてスイッチ１６を構成することによって、簡易な構成でスイッチ１６を形成できると共に、略コイル状の可動接点１５のばね荷重によって、引っ掛かり等がなく、確実な操作の可能なスイッチ及びこれを用いたスイッチ装置を得ることができるものである。
【００３４】
なお、以上の説明では、下方に大径の外周接点部１５Ａ、上方に小径の中央接点部１５Ｂを形成した可動接点１５を用いた構成について説明したが、図３（ａ）の断面図に示すように、上端の中央接点部１７Ｂを最も小さな径とし、下端の大径の外周接点部１７Ａまで順次径を大きくした可動接点１７や、図３（ｂ）に示すように、小径の中央接点部１８Ｂを、大径の外周接点部１８Ａの上方内周に形成した可動接点１８等を用いても、本発明の実施は可能である。
【産業上の利用可能性】
【００３５】
本発明によるスイッチ及びこれを用いたスイッチ装置は、簡易な構成で、確実な操作の可能なものが得られ、主に各種電子機器の操作用として有用である。
【図面の簡単な説明】
【００３６】
【図１】本発明の一実施の形態によるスイッチ装置の断面図
【図２】同押圧操作時の断面図
【図３】同他の実施の形態による可動接点の断面図
【図４】従来のスイッチ装置の断面図
【図５】同押圧操作時の断面図
【符号の説明】
【００３７】
４  ケース
４Ａ  通孔部
５  扉体
５Ａ  駆動部
１１  基板
１２  中央固定接点
１３  外周固定接点
１４  弾性シート
１４Ａ  操作部
１５、１７、１８  可動接点
１５Ａ、１７Ａ、１８Ａ  外周接点部
１５Ｂ、１７Ｂ、１８Ｂ  中央接点部
１６  スイッチ
【図１】
2008103232.tif 000003
【図２】
2008103232.tif 000004
【図３】
2008103232.tif 000005
【図４】
2008103232.tif 000006
【図５】
2008103232.tif 000007